(57)【要約】【課題】広範囲の撮影領域のうちの任意の領域を容易に撮影することである。【解決手段】画像撮影装置としてのデジタルカメラ１において、メニューキー９及び十字キー１０を介して任意の撮影対象の画像領域を設定する撮影領域情報としての撮影モードが入力され、広角レンズである撮影レンズ２により結像した画像を内蔵の撮像素子であるＣＣＤで撮像し、前記撮影モードに基づいて、前記撮像された画角の広い画像データから任意の画像領域を抽出して記憶部に記憶する。【選択図】  図１
2005039777.tif 000002
【特許請求の範囲】
【請求項１】
画角が広い撮影レンズと、その撮影レンズにより結像された画像を画像データに変換する撮像素子と、を備える画像撮影装置において、
画像データを記憶する記憶部と、
操作入力を受付ける操作部と、
前記操作部から入力された画像データの記憶対象の領域を示す撮影領域情報を取得し、前記撮影レンズにより結像された画像を前記撮像素子により撮像し、撮像された画像データを前記撮影領域情報に基づいて領域設定し、領域設定された画像データを前記記憶部に記憶させる制御部と、を備えることを特徴とする画像撮影装置。
【請求項２】
表示情報を画面表示する表示部を備え、
前記制御部は、前記操作部から入力された画像データの撮影時表示対象の領域を示す撮影表示領域情報を取得し、前記撮影レンズにより結像されたスルー画像を前記撮像素子により撮像し、撮像されたスルー画像データを前記撮影表示領域情報に基づいて領域設定し、領域設定されたスルー画像データを前記表示部に表示させることを特徴とする請求項１に記載の画像撮影装置。
【請求項３】
前記制御部は、前記操作部から入力された画像データの再生対象の領域を示す再生領域情報を取得し、前記記憶部に記憶された画像データを前記再生領域情報に基づいて領域設定し、領域設定された画像データを前記表示部に表示させることを特徴とする請求項２に記載の画像撮影装置。
【請求項４】
前記制御部は、前記画像データを補正することを特徴とする請求項１から３のいずれか一項に記載の画像撮影装置。
【請求項５】
前記制御部は、前記撮影レンズにより結像された動画像を前記撮像素子により撮像し、撮像された動画像データを前記撮影領域情報に基づいて領域設定し、当該領域設定された動画像データのフレームに対して所定フレーム数ごとにフレーム内符号化を施すとともに、前記操作部に前記撮影領域情報の変更が入力されたタイミングで、前記動画像データの現在のフレームにフレーム内符号化を施し、当該符号化が施された動画像データを前記記憶部に記憶させることを特徴とする請求項１から４のいずれか一項に記載の画像撮影装置。
【請求項６】
請求項１から５のいずれか一項に記載の画像撮影装置と、
前記画像撮影装置により撮影された画像データを再生する再生装置と、を備える画像撮影システムであって、
前記再生装置は、
前記画像撮影装置の前記記憶部に記憶された画像データを入力する画像データ入力部と、
操作入力を受付ける操作入力部と、
画像データを再生表示する再生表示部と、
前記操作入力部から入力された画像データの再生対象の領域を示す再生領域情報を取得し、前記画像データ入力部から入力された画像データを前記再生領域情報に基づいて領域設定し、領域設定された画像データを前記再生表示部に表示させる再生制御部と、を備えることを特徴とする画像撮影システム。
【請求項７】
前記再生制御部は、前記再生領域情報に基づいて領域設定された画像データを補正することを特徴とする請求項６に記載の画像撮影システム。
【請求項８】
複数方向それぞれに被写体を撮像して画像データを出力する複数の撮像部と、
表示情報を画面表示する表示部と、
操作入力を受付ける操作部と、
画像データを記憶する記憶部と、
前記複数の撮像部により撮像された複数の画像データを同時に前記表示部にスルー表示させ、当該複数の画像データのうちの前記操作部に選択入力された画像データを前記記憶部に記憶させる制御部と、
を備えることを特徴とする画像撮影装置。
【請求項９】
前記制御部は、前記複数の画像データのうちの前記操作部に選択入力された画像データに所定の画像処理を施して前記表示部にスルー表示させることを特徴とする請求項８に記載の画像撮影装置。
【請求項１０】
前記制御部は、前記撮像部により撮像された動画像の画像データのフレームに対して所定フレーム数ごとにフレーム内符号化を施し、前記操作部に撮影対象の撮像部の変更が入力されたタイミングで、撮影対象の撮像部を変更するとともに前記動画像データの現在のフレームにフレーム内符号化を施し、当該符号化が施された動画像データを前記記憶部に記憶させることを特徴とする請求項８又は９に記載の画像撮影装置。
【請求項１１】
撮影方向を変更可能に被写体を撮像して画像データを出力する撮像部と、
表示情報を画面表示する表示部と、
操作入力を受付ける操作部と、
画像データを記憶する記憶部と、
前記撮像部により撮像された動画像の画像データのフレームに対して所定フレーム数ごとにフレーム内符号化を施し、前記操作部に撮影方向の所定量以上の変更が入力されたタイミングで、撮影対象の撮像方向を変更するとともに前記動画像データの現在のフレームにフレーム内符号化を施し、当該符号化が施された動画像データを前記記憶部に記憶させることを特徴とする画像撮影装置。
【発明の詳細な説明】
【技術分野】
【０００１】
本発明は、画像を撮影する画像撮影装置及び画像撮影システムに関する。
【背景技術】
【０００２】
従来、撮像素子としてＣＣＤを備え、レンズから入射した画像をデジタルデータに変換して撮影するデジタルカメラがあった。デジタルカメラの多様化により、様々なタイプのデジタルカメラも考えられている。例えば、ズームレンズを効率的に収容するために双眼鏡型に形成されたデジタルカメラも考えられている（例えば、特許文献１参照）。このような単レンズのデジタルカメラでも、広角レンズを用いることで、画角を広げて画像撮影することができる。
【０００３】
また、レンズを含む光学系を複数設けて、各光学系で撮影された各画像データを合成して撮影する装置が考えられている（特許文献２参照）。
【特許文献１】特開平１０−２２９５１３号公報
【特許文献２】特開平５−２３６３４４号公報
【発明の開示】
【発明が解決しようとする課題】
【０００４】
デジタルカメラにおいて、広範囲の撮影領域内の任意の領域を撮影する要請がある。また、１つの広角レンズを使用して撮影した場合には、画角が大きくなればなるほど画像の収差が大きくなるので、全体撮影画像領域中の視野の角度が大きい端部分などの画像領域が有効活用されていなかった。
【０００５】
また、特許文献２に記載の構成では、各光学系の撮影方向が同一であるために、広範囲の撮影領域を確保することができなかった。また、異なる撮影方向で別々の２機の光学系（撮像部）を有する携帯電話機も実施されており、２つの撮影方向、つまり広範囲に対応する画像を撮影することができる。しかし、そのスルー画像は、光学系（撮像部）ごとに切り替えて表示されるので、操作者が全方向のスルー画像を同時に把握できず、スルー表示されていない方向の被写体の撮影チャンスを逃してしまうなどの複数方向の撮影が困難となるおそれがあった。
【０００６】
本発明の課題は、広範囲の撮影領域のうちの任意の領域を容易に撮影することである。
【課題を解決するための手段】
【０００７】
以上の課題を解決するために、本発明は、
画角が広い撮影レンズと、その撮影レンズにより結像された画像を画像データに変換する撮像素子と、を備える画像撮影装置において、
画像データを記憶する記憶部と、
操作入力を受付ける操作部と、
前記操作部から入力された画像データの記憶対象の領域を示す撮影領域情報を取得し、前記撮影レンズにより結像された画像を前記撮像素子により撮像し、撮像された画像データを前記撮影領域情報に基づいて領域設定し、領域設定された画像データを前記記憶部に記憶させる制御部と、を備えることを特徴とする。
【０００８】
また、例えば、表示情報を画面表示する表示部を備え、
前記制御部は、前記操作部から入力された画像データの撮影時表示対象の領域を示す撮影表示領域情報を取得し、前記撮影レンズにより結像されたスルー画像を前記撮像素子により撮像し、撮像されたスルー画像データを前記撮影表示領域情報に基づいて領域設定し、領域設定されたスルー画像データを前記表示部に表示させることとして構成してもよい。
【０００９】
また、例えば、前記制御部は、前記操作部から入力された画像データの再生対象の領域を示す再生領域情報を取得し、前記記憶部に記憶された画像データを前記再生領域情報に基づいて領域設定し、領域設定された画像データを前記表示部に表示させることとして構成してもよい。
【００１０】
また、例えば、前記制御部は、前記画像データを補正することとして構成してもよい。
【００１１】
また、例えば、前記制御部は、前記撮影レンズにより結像された動画像を前記撮像素子により撮像し、撮像された動画像データを前記撮影領域情報に基づいて領域設定し、当該領域設定された動画像データのフレームに対して所定フレーム数ごとにフレーム内符号化を施すとともに、前記操作部に前記撮影領域情報の変更が入力されたタイミングで、前記動画像データの現在のフレームにフレーム内符号化を施し、当該符号化が施された動画像データを前記記憶部に記憶させることとして構成してもよい。
【００１２】
また、例えば、前記画像撮影装置と、
前記画像撮影装置により撮影された画像データを再生する再生装置と、を備える画像撮影システムであって、
前記再生装置は、
前記画像撮影装置の前記記憶部に記憶された画像データを入力する画像データ入力部と、
操作入力を受付ける操作入力部と、
画像データを再生表示する再生表示部と、
前記操作入力部から入力された画像データの再生対象の領域を示す再生領域情報を取得し、前記画像データ入力部から入力された画像データを前記再生領域情報に基づいて領域設定し、領域設定された画像データを前記再生表示部に表示させる再生制御部と、を備えることとして構成してもよい。
【００１３】
また、例えば、前記再生制御部は、前記再生領域情報に基づいて領域設定された画像データを補正することとして構成してもよい。
【００１４】
また、本発明は、複数方向それぞれに被写体を撮像して画像データを出力する複数の撮像部と、
表示情報を画面表示する表示部と、
操作入力を受付ける操作部と、
画像データを記憶する記憶部と、
前記複数の撮像部により撮像された複数の画像データを同時に前記表示部にスルー表示させ、当該複数の画像データのうちの前記操作部に選択入力された画像データを前記記憶部に記憶させる制御部と、
を備えることを特徴とする画像撮影装置である。
【００１５】
また、例えば、前記制御部は、前記複数の画像データのうちの前記操作部に選択入力された画像データに所定の画像処理を施して前記表示部にスルー表示させることとして構成してもよい。
【００１６】
また、例えば、前記制御部は、前記撮像部により撮像された動画像の画像データのフレームに対して所定フレーム数ごとにフレーム内符号化を施し、前記操作部に撮影対象の撮像部の変更が入力されたタイミングで、撮影対象の撮像部を変更するとともに前記動画像データの現在のフレームにフレーム内符号化を施し、当該符号化が施された動画像データを前記記憶部に記憶させることとして構成してもよい。
【００１７】
また、本発明は、
撮影方向を変更可能に被写体を撮像して画像データを出力する撮像部と、
表示情報を画面表示する表示部と、
操作入力を受付ける操作部と、
画像データを記憶する記憶部と、
前記撮像部により撮像された動画像の画像データのフレームに対して所定フレーム数ごとにフレーム内符号化を施し、前記操作部に撮影方向の所定量以上の変更が入力されたタイミングで、撮影対象の撮像方向を変更するとともに前記動画像データの現在のフレームにフレーム内符号化を施し、当該符号化が施された動画像データを前記記憶部に記憶させることを特徴とする画像撮影装置である。
【発明の効果】
【００１８】
本発明によれば、撮影レンズにより結像された広い画角の画像データを撮影し、その撮影データを撮影領域情報に基づいて領域設定して記憶部に記憶するので、広い画角の撮影領域内の任意の領域の画像データを撮影することができる。
また、画像データの撮影時表示対象の領域や再生対象の領域を示す情報を取得し、これに基づいて撮影時あるいは再生時に画像データの表示を行うので、任意の方向の画像を表示させて撮影したり、任意の方向の画像を再生表示させたりすることができる。これにより、例えば、正面以外の方向の画像を撮影したり、撮影時と再生時で異なる方向の画像を表示させたりすることが可能となる。
【００１９】
また、本発明によれば、複数の撮像部により撮像された複数の画像データを同時にスルー表示し、表示された複数の画像データのうちから選択入力された画像データを記憶させるので、操作者が、広範囲の撮影領域に対応する複数の画像データから撮影対象の画像データを視認により容易に選択して撮影できる。
【００２０】
また、本発明によれば、撮影方向が可動な撮像部により、操作者が、広範囲の画像領域から撮影対象の画像データを容易に移動して撮影でき、撮像された動画像の画像データの所定フレーム数ごとのフレーム内符号化により、撮影する動画像データの容量を小さくできるとともに、操作部に撮影方向の所定量以上の変更が入力されたタイミングで、撮影対象の撮像方向の変更と現在のフレームのフレーム内符号化とを行い、撮影する動画像データの画質を向上できる。
【発明を実施するための最良の形態】
【００２１】
以下、添付図面を参照して本発明に係る第１〜第４の実施の形態を順に説明する。
【００２２】
（第１の実施の形態）
図１〜図８を参照して、本発明に係る第１の実施の形態を説明する。先ず、図１及び図２を参照して、本実施の形態の装置構成を説明する。図１に、本実施の形態のデジタルカメラ１の外観を示し、（ａ）に主に前面の構成を示し、（ｂ）に主に背面の構成を示す。図２に、デジタルカメラ１の内部構成を示す。
【００２３】
図１に示すように、デジタルカメラ１は、略矩形のボディ前面に、撮影レンズ２、セルフタイマランプ３、光学ファインダ窓４、及びストロボ発光部５が配設され、上面には電源キー６及びシャッタキー７が配される。
【００２４】
撮影レンズ２は、広角レンズであり、例えば、単焦点で且つ固定焦点であるものとする。
電源キー６は、１回押圧操作する毎に電源をオン／オフするキーであり、シャッタキー７は、撮影モード時にレリーズを指示する一方で、メニュー選択などでは設定／実行を指示するキーとしても機能するものとする。
【００２５】
また、デジタルカメラ１の背面には、モードスイッチ（ＳＷ）８、メニューキー９、十字キー１０、光学ファインダ１１、ストロボチャージランプ１２及び表示部１３を配する。
モードスイッチ８は、例えばスライドスイッチにより構成され、撮影モード「Ｒ」と再生モード「Ｐ」とを切換える。
メニューキー９は、各種メニュー選択時に操作する。
表示部１３は、バックライト付きのカラー液晶パネルで構成されるもので、撮影モード時には電子ファインダとしてモニタ表示を行なう一方で、再生モード時には選択した画像を再生表示する。
【００２６】
なお、図示はしないがこのボディ下面には蓋付きのメモリカードスロットが設けられ、このデジタルカメラ１の記録媒体であるメモリカードが着脱自在に装着されるものとする。また、図示しないが、外部機器と通信するためのケーブルを接続するためのコネクタのスロットも設けられる。
【００２７】
次いで図２により上記デジタルカメラ１の電子回路構成を説明する。
撮影モードでのモニタリング状態においては、モータ（Ｍ）２１の駆動により絞り位置が移動される、撮影レンズ２を含むレンズ光学系２２の撮像素子であるＣＣＤ２３が、タイミング発生器（ＴＧ）２４、垂直ドライバ２５によって走査駆動され、一定周期毎に結像した光像に対応する光電変換出力を１画面分出力する。
【００２８】
この光電変換出力は、アナログ値の信号の状態でＲＧＢの各原色成分毎に適宜ゲイン調整された後に、サンプルホールド回路（Ｓ／Ｈ）２６でサンプルホールドされ、Ａ／Ｄ変換器２７でデジタルデータに変換され、カラープロセス回路２８で画素補間処理及びγ補正処理を含むカラープロセス処理が行なわれて、デジタル値の輝度信号Ｙ及び色差信号Ｃｂ，Ｃｒが生成され、ＤＭＡ（Direct Memory Access）コントローラ２９に出力される。
【００２９】
ＤＭＡコントローラ２９は、カラープロセス回路２８の出力する輝度信号Ｙ及び色差信号Ｃｂ，Ｃｒを、同じくカラープロセス回路２８からの複合同期信号、メモリ書込みイネーブル信号及びクロック信号を用いて一度ＤＭＡコントローラ２９内部のバッファに書込み、ＤＲＡＭインタフェース（Ｉ／Ｆ）３０を介してバッファメモリとして使用されるＤＲＡＭ３１にＤＭＡ転送を行なう。
【００３０】
制御部３２は、ＣＰＵと、後述する色強調処理を含むＣＰＵで実行される動作プログラムを固定的に記憶したＲＯＭ及びワークメモリとして使用されるＲＡＭなどにより構成され、このデジタルカメラ１全体の制御動作を司るもので、上記輝度及び色差信号のＤＲＡＭ３１へのＤＭＡ転送終了後に、この輝度及び色差信号をＤＲＡＭインタフェース３０を介してＤＲＡＭ３１より読出し、ＶＲＡＭコントローラ３３を介してＶＲＡＭ３４に書込む。
デジタルビデオエンコーダ３５は、上記輝度及び色差信号をＶＲＡＭコントローラ３３を介してＶＲＡＭ３４より定期的に読出し、これらのデータを元にビデオ信号を発生して表示部１３に出力する。
【００３１】
この表示部１３は、上述した如く撮影モード時にはモニタ表示部（電子ファインダ）として機能するもので、デジタルビデオエンコーダ３５からのビデオ信号に基づいた表示を行なうことで、その時点でＶＲＡＭコントローラ３３から取込んでいる画像情報に基づくスルー画像をリアルタイムに表示することとなる。
このように表示部１３にその時点での画像がモニタ画像としてリアルタイムに表示されている状態で、静止画撮影を行ないたいタイミングでキー入力部３６を構成するシャッタキー７を操作すると、トリガ信号を発生する。
【００３２】
制御部３２は、このトリガ信号に応じてその時点でＣＣＤ２３から取込んでいる１画面分の輝度及び色差信号のＤＲＡＭ３１へのＤＭＡ転送の終了後、直ちにＣＣＤ２３からのＤＲＡＭ３１への経路を停止し、記録保存の状態に遷移する。
この記録保存の状態では、制御部３２がＤＲＡＭ３１に書込まれている１フレーム分の輝度及び色差信号をＤＲＡＭインタフェース３０を介してＹ，Ｃｂ，Ｃｒの各コンポーネント毎に縦８画素×横８画素の基本ブロックと呼称される単位で読出してＪＰＥＧ（Joint Photograph coding Experts Group）回路３７に書込み、このＪＰＥＧ回路３７でＡＤＣＴ（Adaptive  Discrete  Cosine  Transform：適応離散コサイン変換）、エントロピ符号化方式であるハフマン符号化などの処理によりデータ圧縮する。
【００３３】
そして、得た符号データを１画像のデータファイルとしてＪＰＥＧ回路３７から読出し、このデジタルカメラ１の記録媒体として着脱自在に装着されるメモリカード内に封入された、不揮発性メモリであるフラッシュメモリ３８に書込む。さらにフラッシュメモリ３８は別にデジタルカメラ１に内蔵されていてもよい。
そして、１フレーム分の輝度及び色差信号の圧縮処理及びフラッシュメモリ３８への全圧縮データの書込み終了に伴なって、制御部３２はＣＣＤ２３からＤＲＡＭ３１への経路を再び起動する。
【００３４】
キー入力部３６は、電源キー６、シャッタキー７、モードスイッチ８、メニューキー９及び十字キー１０から構成され、それらのキー操作に伴なう信号は直接制御部３２へ送出される。
上記再生モード時には、制御部３２がフラッシュメモリ３８に記録されている画像データを選択的に読出し、ＪＰＥＧ回路３７で画像撮影モード時にデータ圧縮した手順と全く逆の手順で圧縮されている画像データを伸長し、伸長した画像データをＶＲＡＭコントローラ３３を介してＶＲＡＭ３４に展開して記憶させた上で、このＶＲＡＭ３４より定期的に読出し、これらの画像データを元にビデオ信号を発生して表示部１３で再生出力させる。
【００３５】
なお、キー入力部３６のシャッタキー７が２段階のストロークで動作し、一般的に「半押し」と表現されている第１段階の操作状態でＡＥ（自動露光）処理やＡＦ（オートフォーカス）処理を始めとする撮影の準備を行ない、一般的に「全押し」と表現されている、より強く押圧操作した第２段階の操作状態で撮影を実行するものとする。
【００３６】
なお、以上の構成はデジタルカメラにおける代表的な構成例を示したに過ぎず、他の構成を有するものであってもよいことはいうまでもない。例えば、デジタルカメラとしては薄型でなくてもよい。
また、画像撮影装置としては、デジタルカメラに限るものではなく、画像撮影機能を有する携帯電話、ＰＨＳ（Personal Handyphone System）、ＰＤＡ（Personal Digital Assistants）などでもよい。
【００３７】
次に、図３を参照して、ＣＣＤ２３において撮像される画像について説明する。図３に、ＣＣＤ２３において撮像される画像構成を示す。広角レンズである撮影レンズ２により、ＣＣＤ２３により撮像される全面画像４０は、９つの画像領域に分割される。具体的には、正面画像領域Ｄ１、右画像領域Ｄ２、左画像領域Ｄ３、上画像領域Ｄ４、下画像領域Ｄ５、左上画像領域Ｄ６、右上画像領域Ｄ７、左下画像領域Ｄ８及び右下画像領域Ｄ９の９つの画像領域である。
【００３８】
正面画像領域Ｄ１は、いわゆる普通の撮影レンズを用いたデジタルカメラで撮影した場合の標準的な画像にあたり、球面収差の度合いが少ない。それ以外の画像領域Ｄ２〜Ｄ９は、球面収差の度合いが大きく、例えば単独で画像として抽出する場合に球面収差の補正が必要となる。また、広角の撮影レンズ２を使用するので全面画像４０は画角が大きいので、ＣＣＤ２３の撮像領域を大きくすることが好ましい。また全面画像４０が９つの画像領域に分割され、各画像領域を単独の画像として抽出可能とするために、ＣＣＤ２３は画素数が多いものを使用することが好ましい。
【００３９】
次に、図４〜図６を参照して、本実施の形態におけるデジタルカメラ１の動作を説明する。図４に、撮影又は再生処理を示す。図５に、図４の撮影又は再生処理中の抽出処理を示す。図６に、入力画面を示し、（ａ）及び（ｂ）に撮影モードの入力画面４１を示し、（ｃ）に再生モードの入力画面４２を示す。
【００４０】
図４〜図６を参照して、デジタルカメラ１において実行される撮影又は再生処理を説明する。デジタルカメラ１の制御部３２内の図示しないＲＯＭに撮影又は再生プログラムが記憶され、図示しないＣＰＵは、適宜、ＲＯＭに記憶された撮影又は再生プログラムを読出し図示しないＲＡＭに展開する。操作者により、モードＳＷ８が撮影モード又は再生モードにオンされたことをトリガとして、ＣＰＵとＲＡＭ内の撮影又は再生プログラムとの協働により、撮影又は再生処理が実行される。以下、特に言及する場合を除き、各ステップの処理の主体は制御部３２であるとする。
【００４１】
先ず、操作者によりメニューキー９及び十字キー１０を介して、撮影モード又は再生モードの種類が選択入力される（ステップＳ１）。具体的には、図６（ａ），（ｂ）に示すような撮影モードの入力画面４１又は再生モードの入力画面４２が表示部１３に表示され、操作者が実行するモードを選択入力する。また、再生モードの選択においては、図示しないがフラッシュメモリ３８に記憶された再生対象の画像データも選択入力される。
【００４２】
撮影モードは、さらに、総撮り（全面撮影）モードと、普通（正面）撮影モードと、パノラマ撮影モードと、縦パノラマ撮影モードと、立体撮影モードと、上撮影モードと、下撮影モードと、Ｌ（左）撮影モードと、Ｒ（右）撮影モードとを有する。ここで、各撮影モードの撮影領域を図３の画像領域の番号で示す。全面撮影モードでは、Ｄ１〜Ｄ９の画像領域が撮影できる。正面撮影モードでは、Ｄ１の画像領域が撮影できる。パノラマ撮影モードでは、Ｄ１〜Ｄ３の画像領域が撮影できる。縦パノラマ撮影モードでは、Ｄ１，Ｄ４，Ｄ５の画像領域が撮影できる。立体撮影モードでは、Ｄ１〜Ｄ５の画像領域が撮影できる。上撮影モードでは、Ｄ４の画像領域が撮影できる。下撮影モードでは、Ｄ５の画像領域が撮影できる。左撮影モードでは、Ｄ３の画像領域が撮影できる。右撮影モードでは、Ｄ２の画像領域が撮影できる。
【００４３】
再生モードは、さらに、全面再生モードと、普通（正面）再生モードと、パノラマ再生モードと、縦パノラマ再生モードと、立体再生モードと、上再生モードと、下再生モードと、Ｌ（左）再生モードと、Ｒ（右）再生モードとを有する。ここで、各再生モードの再生領域を図３の画像領域の番号で示す。全面再生モードでは、画像領域Ｄ１〜Ｄ９が再生できる。正面再生モードでは、画像領域Ｄ１が再生できる。パノラマ再生モードでは、画像領域Ｄ１〜Ｄ３が再生できる。縦パノラマ再生モードでは、画像領域Ｄ１，Ｄ４，Ｄ５が再生できる。立体再生モードでは、画像領域Ｄ１〜Ｄ５が再生できる。上再生モードでは、画像領域Ｄ４が再生できる。下再生モードでは、画像領域Ｄ５が再生できる。左再生モードでは、画像領域Ｄ３が再生できる。右再生モードでは、画像領域Ｄ２が再生できる。
【００４４】
図６（ａ）では、入力画面４１において全面撮影モードが選択され、図６（ｂ）では、入力画面４１においてパノラマ撮影モードが選択され、図６（ｃ）では、入力画面４２において正面再生モードが選択された場合を示す。
【００４５】
そして、ステップＳ１において選択入力されたモードが撮影モードであるか否かが判別される（ステップＳ２）。撮影モードである場合（ステップＳ２；ＹＥＳ）、撮影レンズ２から入射された全面画像がＣＣＤ２３において撮像される（ステップＳ３）。撮影モードでない場合（ステップＳ２；ＮＯ）、再生モードであり、ステップＳ１において選択入力された再生対象の画像データの画像領域が、選択入力された再生モードの画像領域以上であるか否かが判別される（ステップＳ４）。
【００４６】
再生モードの画像領域以上でない場合（ステップＳ４；ＮＯ）、その再生モードで画像表示できないので、ステップＳ１に移行される。再生モードの画像領域以上である場合（ステップＳ４；ＹＥＳ）、フラッシュメモリ３８から再生対象の画像データが読み出される（ステップＳ５）。
【００４７】
そして、抽出処理が実行される（ステップＳ６）。ここで、図５を参照して、抽出処理を具体的に説明する。先ず、ステップＳ１において入力された選択入力されたモードが正面撮影モード又は正面再生モードであるか否かが判別される（ステップＳ６１）。正面撮影モード又は正面再生モードである場合（ステップＳ６１；ＹＥＳ）、ステップＳ３においてＣＣＤ２３により撮像された全面の画像データ（以下、全面撮像画像データとする）、又はフラッシュメモリ３８に記憶された画像データ（以下、記憶画像データとする）から、正面画像領域Ｄ１の画像データが抽出され（ステップＳ６２）、ステップＳ７に移行される。
【００４８】
正面撮影モード又は正面再生モードでない場合（ステップＳ６１；ＮＯ）、選択入力されたモードが全面撮影モード又は全面再生モードであるか否かが判別される（ステップＳ６３）。全面撮影モード又は全面再生モードである場合（ステップＳ６３；ＹＥＳ）、全面撮像画像データ又は記憶画像データから、全面画像領域Ｄ１〜Ｄ９の画像データが抽出され（ステップＳ６４）、操作者によりメニューキー９及び十字キー１０を介して、抽出された画像データに球面補正などの補正をするか否かが入力される（ステップＳ６５）。
【００４９】
補正をする場合（ステップＳ６５；ＹＥＳ）、抽出された画像データに補正がなされ（ステップＳ６６）、ステップＳ７に移行される。補正をしない場合（ステップＳ６５；ＮＯ）、ステップＳ７に移行される。
【００５０】
全面撮影モード又は全面再生モードでない場合（ステップＳ６３；ＮＯ）、選択入力されたモードがパノラマ撮影モード又はパノラマ再生モードであるか否かが判別される（ステップＳ６７）。パノラマ撮影モード又はパノラマ再生モードである場合（ステップＳ６７；ＹＥＳ）、全面撮像画像データ又は記憶画像データから、正面及び左右画像領域Ｄ１〜Ｄ３の画像データが抽出され（ステップＳ６８）、ステップＳ６５に移行される。
【００５１】
パノラマ撮影モード又はパノラマ再生モードでない場合（ステップＳ６７；ＮＯ）、選択入力されたモードが縦パノラマ撮影モード又は縦パノラマ再生モードであるか否かが判別される（ステップＳ６９）。縦パノラマ撮影モード又は縦パノラマ再生モードである場合（ステップＳ６９；ＹＥＳ）、全面撮像画像データ又は記憶画像データから、正面及び上下画像領域Ｄ１，Ｄ４，Ｄ５の画像データが抽出され（ステップＳ７０）、ステップＳ６５に移行される。
【００５２】
縦パノラマ撮影モード又は縦パノラマ再生モードでない場合（ステップＳ６９；ＮＯ）、選択入力されたモードが立体撮影モード又は立体再生モードであるか否かが判別される（ステップＳ７１）。立体撮影モード又は立体再生モードである場合（ステップＳ７１；ＹＥＳ）、全面撮像画像データ又は記憶画像データから、正面及び上下左右画像領域Ｄ１〜Ｄ５の画像データが抽出され（ステップＳ７２）、ステップＳ６５に移行される。
【００５３】
立体撮影モード又は立体再生モードでない場合（ステップＳ７１；ＮＯ）、選択入力されたモードが上撮影モード又は上再生モードであるか否かが判別される（ステップＳ７３）。上撮影モード又は上再生モードである場合（ステップＳ７３；ＹＥＳ）、全面撮像画像データ又は記憶画像データから、上画像領域Ｄ４の画像データが抽出され（ステップＳ７４）、ステップＳ６６に移行される。
【００５４】
上撮影モード又は上再生モードでない場合（ステップＳ７３；ＮＯ）、選択入力されたモードが下撮影モード又は下再生モードであるか否かが判別される（ステップＳ７５）。下撮影モード又は下再生モードである場合（ステップＳ７５；ＹＥＳ）、全面撮像画像データ又は記憶画像データから、下画像領域Ｄ５の画像データが抽出され（ステップＳ７６）、ステップＳ６６に移行される。
【００５５】
下撮影モード又は下再生モードでない場合（ステップＳ７５；ＮＯ）、選択入力されたモードが左撮影モード若しくは左再生モードであるか、又は右撮影モード若しくは右再生モードであるかが判別される（ステップＳ７７）。左撮影モード若しくは左再生モードである場合（ステップＳ７７；左モード）、全面撮像画像データ又は記憶画像データから、左画像領域Ｄ３の画像データが抽出され（ステップＳ７８）、ステップＳ６６に移行される。右撮影モード若しくは右再生モードである場合（ステップＳ７７；右モード）、全面撮像画像データ又は記憶画像データから、右画像領域Ｄ２の画像データが抽出され（ステップＳ７９）、ステップＳ６６に移行される。
【００５６】
そして図４に戻り、ステップＳ６において抽出された画像領域が表示部１３に表示される（ステップＳ７）。そして、ステップＳ１において選択入力されたモードが撮影モードであるか否かが判別される（ステップＳ８）。撮影モードである場合（ステップＳ８；ＹＥＳ）、操作者のシャッタキー７の全押し動作により、撮影レンズ２により取り込まれ各種処理後に画像領域が抽出され、ＪＰＥＧ回路３７により圧縮された画像領域抽出後の画像データがフラッシュメモリ３８に記憶され（ステップＳ９）、撮影又は再生処理が終了される。撮影モードでない場合（ステップＳ８；ＮＯ）、再生モードであり、撮影又は再生処理が終了される。
【００５７】
次に、図７を参照して、パノラマ撮影の一例を説明する。図７に、各種撮影例及び再生例を示し、（ａ）に操作者５１の視野と被写体位置関係を示し、（ｂ）にデジタルカメラ１による全画面撮影画像例を示し、（ｃ）にデジタルカメラ１による正面画像再生例を示す。
【００５８】
図７（ａ）に示すように、デジタルカメラ１の撮影者としての操作者５１が被写体としての人物５２を撮影する場合を考える。人物５３，５４は、人物５２の周囲にいる人物である。いわゆる普通の撮影レンズを有するデジタルカメラでは例えば正面の人物５２しか撮影できない。本実施の形態のデジタルカメラ１は広角な撮影レンズ２を備えるので、パノラマ撮影モードに設定した場合、図７（ｂ）に示すように、全ての人物を含むように人物５２を撮影して、正面及び左右画像領域の画像データをフラッシュメモリ３８に記憶することができる。左右画像領域の画像データは球面収差などの影響が大きいので補正されることが好ましい。
【００５９】
その後、図７（ｂ）で撮影された画像データをデジタルカメラ１で再生するにあたり、正面再生モードが選択された場合に、図７（ｃ）に示すような正面画像領域の画像データ５５が表示部１３に表示される。ここで、操作者５１などの再生操作者は、人物５４が誰であったかを確かめたい場合に、パノラマ再生モードや右再生モードなどを選択して、右画面領域を表示部１３に表示させることにより確認することができる。また、パノラマ撮影後、フラッシュメモリ３８に記憶されている正面及び左右画像領域の画像データよりも表示領域の大きな立体再生モード及び全面再生モードは選択できない。
【００６０】
このように、撮影時に、予め広範囲の画像領域の画像データを撮影しておくことで、撮影後の再生時において、正面画像領域から外れた領域に写り込んでいるものの表示及び確認などを容易に行うことができる。他の撮影モード及び再生モードでも同様である。
【００６１】
次に、図８を参照して、デジタルカメラ１を使用した撮影例を説明する。図８に、デジタルカメラ１を使用した撮影例を示し、（ａ）に左撮影モードでの人物の撮影例を示し、（ｂ）に右撮影モードでの人物の撮影例を示し、（ｃ）に左撮影モードでの閉所における撮影例を示す。
【００６２】
左撮影モードにおいては、図８（ａ）に示すように、操作者６１がデジタルカメラ１を正面に向けていても、左側前方に位置する被写体である人物６２を表示部１３に表示して撮影することができる。例えば、人物６２が、デジタルカメラ１を向けると怖がる赤ちゃんや、デジタルカメラ１を向けると緊張してしまい自然なポーズがとれない人物などである場合に、その人物の自然体の姿を撮影できる。
【００６３】
同様に、右撮影モードにおいても、図８（ｂ）に示すように、操作者６１がデジタルカメラ１を正面に向けていても、右側前方に位置する被写体である人物６３を撮影することができる。上撮影モード及び下撮影モードでも同様である。
【００６４】
さらに、左撮影モードにおいては、例えば図８（ｃ）に示すように、たんすの裏の隙間や、狭いオフィスなどの狭い領域６４内で、被写体６５全体を撮影することができる。この場合、撮影した画像データでは、被写体６５の画像が変形してしまうため、撮影画像データに、例えばプロジェクターなどに用いられる台形補正などを応用して用いることにより被写体６５の正面画像データが得られる。右撮影モード、上撮影モード及び下撮影モードでも同様である。
【００６５】
以上、本実施の形態によれば、撮影レンズ２により結像された広い画角の画像データを撮影し、その撮影データを、操作者に設定入力された撮影モードに基づいて抽出してフラッシュメモリ３８に記憶するので、広い画角の画像内の任意の領域の画像データを撮影することができる。
【００６６】
また、操作者に設定入力された撮影モードに基づいてスルー画像データが表示部１３に表示されるので、撮影モードに応じた任意の領域の撮影対象の画像をスルー画像表示することができる。また、操作者に設定入力された再生モードに基づいてフラッシュメモリ３８に記憶された画像データが表示部１３に表示されて再生されるので、再生モードに応じた任意の領域の画像データを再生表示することができる。
【００６７】
また、正面画像領域以外の収差の大きい画像領域に球面補正などの補正を選択的に行って画像データを撮影、撮影時表示及び再生することができる。
【００６８】
（第２の実施の形態）
図９〜図１２を撮影して、本実施の形態に係る第２の実施の形態を説明する。説明の重複を避けるため、第１の実施の形態と異なる部分を主として説明する。
【００６９】
本実施の形態の装置構成は、第１の実施の形態の装置構成と同様である。次いで、図９〜図１２を参照して、本実施の形態におけるデジタルカメラ１の動作を説明する。図９に、設定処理を示す。図１０に、撮影処理を示す。図１１に、入力画面を示し、（ａ）に撮影モードにおける入力画面７１を示し、（ｂ）に撮影モードにおける入力画面７２を示す。
【００７０】
第１の実施の形態では、撮影時のスルー画像が撮影画像と同じ画像領域である構成であったが、本第２の実施の形態では、撮影時のスルー画像が撮影画像と異なる領域とできる構成である。また、再生処理は、第１の実施の形態と同様である。但し、本実施の形態では、再生画像領域を任意に設定できるものとする。
したがって、撮影処理と、その設定処理を説明する。
【００７１】
本実施の形態における撮影モードは、総撮り（全面撮影）モードと、指定方向撮影モードとの２つである。指定方向撮影モードは、撮影する方向を任意に指定できる撮影モードである。全面撮影モードでは、図３に示す全面画像領域Ｄ１〜Ｄ９を撮影する。指定方向撮影モードは、それ以外の正面、パノラマ、縦パノラマ、立体、左、右などの画像領域をＤ１〜Ｄ９から任意に組み合わせて選択することができる。
【００７２】
図９を参照して、デジタルカメラ１において実行される設定処理を説明する。設定処理は、撮影処理の前に予め行う各モード及びその付加情報を設定する処理である。デジタルカメラ１の制御部３２内の図示しないＲＯＭに設定プログラムが記憶され、図示しないＣＰＵは、適宜、ＲＯＭに記憶された設定プログラムを読出し図示しないＲＡＭに展開する。操作者により、モードＳＷ８が撮影モード又は再生モードにオンされたことをトリガとして、ＣＰＵとＲＡＭ内の設定プログラムとの協働により、設定処理が実行される。以下、特に言及する場合を除き、各ステップの処理の主体は制御部３２であるとする。
【００７３】
先ず、図１１（ａ）に示す入力画面７１が表示部１３に表示され、操作者により、メニューキー９及び十字キー１０を介して、撮影モードとして全面撮影モード又は指定方向撮影モードが入力される（ステップＳ１１）。そして、撮影モードが全面撮影モードであるか、指定方向撮影モードであるかが判別される（ステップＳ１２）。撮影モードが全面撮影モードである場合（ステップＳ１２；全面撮影モード）、操作者により、メニューキー９及び十字キー１０を介して、撮影時のスルー画像表示方向が設定入力される（ステップＳ１３）。
【００７４】
ステップＳ１３においては、図１１（ａ）の入力画面７１に示すように、全面表示及び指定方向表示のいずれか一方が設定される。指定方向表示の場合は、さらに、正面表示であるか、正面以外のその他の方向表示であるかが入力される。そして、ステップＳ１３において設定入力された撮影時のスルー画像表示方向が全面であるか指定方向であるかが判別される（ステップＳ１４）。
【００７５】
撮影時のスルー画像表示方向が指定方向である場合（ステップＳ１４；指定方向）、さらに、スルー画像表示方向が正面表示であるか否かが判別される（ステップＳ１５）。スルー画像表示方向が正面表示でない場合（ステップＳ１５；ＮＯ）、スルー画像表示方向がその他の方向表示であり、操作者により、メニューキー９及び十字キー１０を介して、その他の表示方向が具体的に設定入力される（ステップＳ１６）。例えば、図３の正面画像領域Ｄ１のみ及び全面画像領域Ｄ１〜Ｄ９以外の任意の組み合わせを指定して表示される。
【００７６】
そして、スルー画像表示方向が全面である場合（ステップＳ１４；全面）、スルー画像表示方向が正面表示である場合（ステップＳ１５；ＹＥＳ）、又はステップＳ１６の実行後、設定された撮影モード、撮影方向及び撮影時の表示方向が設定情報としてフラッシュメモリ３８に記憶され（ステップＳ１７）、設定処理が終了される。
【００７７】
撮影モードが指定方向撮影モードである場合（ステップＳ１２；指定方向撮影モード）、図１１（ｂ）に示す入力画面７２が表示部１３に表示され、操作者により、メニューキー９及び十字キー１０を介して、撮影方向として正面又は指定方向が設定入力される（ステップＳ１８）。そしてステップＳ１８において、設定入力された撮影方向が正面であるか又は指定方向であるかが判別される（ステップＳ１９）。
【００７８】
撮影方向が正面である場合（ステップＳ１９；ＹＥＳ）、操作者により、メニューキー９及び十字キー１０を介して、撮影時のスルー画像表示方向が設定入力される（ステップＳ２０）。そして、ステップＳ２０において設定入力された撮影時のスルー画像表示方向が全面であるか指定方向であるかが判別される（ステップＳ２１）。
【００７９】
撮影時のスルー画像表示方向が指定方向である場合（ステップＳ２１；指定方向）、さらに、スルー画像表示方向が正面表示であるか否かが判別される（ステップＳ２２）。スルー画像表示方向が正面表示でない場合（ステップＳ２２；ＮＯ）、スルー画像表示方向がその他の方向表示であり、操作者により、メニューキー９及び十字キー１０を介して、その他の表示方向が具体的に設定入力される（ステップＳ２３）。そして、スルー画像表示方向が全面である場合（ステップＳ２１；全面）、スルー画像表示方向が正面表示である場合（ステップＳ２２；ＹＥＳ）、又はステップＳ２３の実行後、ステップＳ１７に移行される。
【００８０】
撮影方向が正面でない場合（ステップＳ１９；ＮＯ）、撮影方向が指定方向であり、操作者により、メニューキー９及び十字キー１０を介して、撮影方向が具体的に設定入力される（ステップＳ２４）。例えば、図３の正面画像領域Ｄ１のみ及び全面画像領域Ｄ１〜Ｄ９以外の任意の組み合わせを指定して表示される。そして、操作者により、メニューキー９及び十字キー１０を介して、撮影時のスルー画像表示方向が設定入力される（ステップＳ２５）。そして、ステップＳ２５において設定入力された撮影時のスルー画像表示方向が全面であるか指定方向であるかが判別される（ステップＳ２６）。
【００８１】
撮影時のスルー画像表示方向が指定方向である場合（ステップＳ２６；指定方向）、スルー画像表示方向が撮影中の方向（撮影方向）であるか否かが判別される（ステップＳ２７）。スルー画像表示方向が撮影方向でない場合（ステップＳ２７；ＮＯ）、スルー画像表示方向が全面及び撮影方向以外の方向表示であり、さらに、スルー画像表示方向が正面表示であるか否かが判別される（ステップＳ２８）。スルー画像表示方向が正面表示でない場合（ステップＳ２８；ＮＯ）、スルー画像表示方向がその他の方向表示であり、操作者により、メニューキー９及び十字キー１０を介して、その他の表示方向が具体的に設定入力される（ステップＳ２９）。
【００８２】
そして、撮影時のスルー画像表示方向が全面である場合（ステップＳ２６；全面）、スルー画像表示方向が撮影方向である場合（ステップＳ２７；ＹＥＳ）、スルー画像表示方向が正面表示である場合（ステップＳ２８；ＹＥＳ）、又はステップＳ２９の実行後、ステップＳ１７に移行される。
【００８３】
次に、図１０を参照して、デジタルカメラ１において実行される撮影処理を説明する。デジタルカメラ１の制御部３２内の図示しないＲＯＭに撮影プログラムが記憶され、図示しないＣＰＵは、ＲＯＭに記憶された撮影プログラムを図示しないＲＡＭに展開する。操作者により、モードＳＷ８が撮影モードにオンされたことをトリガとして、ＣＰＵとＲＡＭ内の撮影プログラムとの協働により、撮影処理が実行される。以下、特に言及する場合を除き、各ステップの処理の主体は制御部３２であるとする。
【００８４】
先ず、設定処理においてフラッシュメモリ３８に記憶された設定情報が読み出される（ステップＳ３１）。そして、操作者により、メニューキー９及び十字キー１０を介して、撮影時のスルー画像表示と撮影画像データとのいずれか一方又は両方に球面補正などの補正を行うか否かを示す補正設定情報が設定入力される（ステップＳ３２）。
【００８５】
そして、ステップＳ３１において読み出された設定情報に基づいて、撮影時のスルー画像表示が、全面表示であるか、指定方向表示であるかが判別される（ステップＳ３３）。スルー画像表示が全面表示である場合（ステップＳ３３；全面）、撮影レンズ２から取り込まれＣＣＤ２３により撮像され各種処理された画像データから全面画像データが、スルー画像データとして抽出される（ステップＳ３４）。スルー画像表示が指定方向である場合（ステップＳ３３；指定方向）、設定情報に基づいて、撮影レンズ２から取り込まれＣＣＤ２３により撮像され各種処理された画像データから指定方向の画像データが、スルー画像データとして抽出される（ステップＳ３５）。
【００８６】
そして、ステップＳ３２により設定入力された補正設定情報に基づいて、ステップＳ３４又はＳ３５において抽出されたスルー画像データに補正をかけるか否かが判別される（ステップＳ３６）。スルー画像データを補正する場合（ステップＳ３６；ＹＥＳ）、スルー画像データに対して球面補正などの補正がかけられる（ステップＳ３７）。そして、ステップＳ３７において補正されたスルー画像データ又は補正されていない画像データが表示部１３に表示される（ステップＳ３８）。スルー画像データを補正しない場合（ステップＳ３６；ＮＯ）、ステップＳ３８に移行される。
【００８７】
そして、操作者によるシャッタキー７の全押しにより撮影が開始されたか否かが判別される（ステップＳ３９）。撮影が開始されていない場合（ステップＳ３９；ＮＯ）、ステップＳ３３に移行される。
【００８８】
撮影が開始された場合（ステップＳ３９；ＹＥＳ）、ステップＳ３１において読み出された設定情報に基づいて、撮影モードが全面撮影モードであるか、指定方向撮影モードであるかが判別される（ステップＳ４０）。撮影モードが全面撮影モードである場合（ステップＳ４０；ＹＥＳ）、撮影レンズから取り込まれＣＣＤ２３により撮像され各種処理された画像データから全面画像データが、撮影画像データとして抽出される（ステップＳ４１）。撮影モードが指定方向撮影モードである場合（ステップＳ４０；指定方向）、設定情報に基づいて、撮影レンズから取り込まれＣＣＤ２３により撮像され各種処理された画像データから指定方向の画像データが、撮影画像データとして抽出される（ステップＳ４２）。
【００８９】
そして、ステップＳ３２により設定入力された補正設定情報に基づいて、ステップＳ４１又はＳ４２において抽出された撮影画像データに補正をかけるか否かが判別される（ステップＳ４３）。撮影画像データを補正する場合（ステップＳ４３；ＹＥＳ）、撮影画像データに対して球面補正などの補正がかけられる（ステップＳ４４）。そして、ステップＳ４４において補正された又は補正されていない撮影画像データがＪＰＥＧ回路３７により圧縮されてフラッシュメモリ３８に記憶され（ステップＳ４５）、撮影処理が終了される。
【００９０】
以上、本実施の形態によれば、撮影方向と撮影表示方向とを別々に設定可能な設定情報に基づいて、スルー画像データが表示部１３に表示されるので、設定情報の撮影表示方向に応じた任意の領域の画像をスルー画像表示し、設定情報の撮影表示方向と同じ又は異なる撮影方向に基づいて任意の領域の画像を撮影することができる。
【００９１】
（変形例）
図１２及び図１３を参照して、第１及び第２の実施の形態の変形例を説明する。図１２に、画像撮影システム１αの構成を示す。図１３に、ＰＣ８０の内部構成を示す。第１及び第２の実施の形態は、デジタルカメラが撮影処理機能及び再生機能を有する構成であったが、本変形例では、デジタルカメラ側に少なくとも撮影機能を持たせ、外部機器側に再生機能を持たせる構成である。
【００９２】
また、図１３に示すように、ＰＣ８０は、各部を中央制御するＣＰＵ８１と、操作者の入力を受付ける操作入力部８２と、データを一時的に格納するＲＡＭ８３と、表示データを表示する再生表示部としての表示部８４と、データを記憶する記憶部８５と、メモリカードに記憶された画像データを入力する画像データ入力部８６とを備えて構成され、各部はバス８７により接続される。
【００９３】
ＣＰＵ８１は、記憶部８５に記憶されている各種プログラムの中から指定されたプログラムを適宜ＲＡＭ８３のワークエリアに展開するなどしながら、各種制御を実行する。この構成における各種制御の主体を再生制御部としての制御部８１１とする。ここで、制御部８１１はソフトウェア的に設けられるものとして説明したが、ハードウェア的に設けられる構成でもよい。
【００９４】
操作入力部８２は、カーソルキー、数字入力キー及び各種機能キーなどを備えたキーボードを含み、マウスなどのポインティングデバイスを含む構成とする。操作入力部８２は、操作者によりキーボードで押下された押下信号やポインティングデバイスの位置信号をＣＰＵ８１に出力する。表示部８４は、ＣＲＴ（Cathode Ray Tube）、ＬＣＤ（Liquid Crystal Display）などで構成され、ＣＰＵ８１からの表示信号に従って、画面表示を行う。
【００９５】
記憶部８５は、各種プログラム、各種データなどが予め記憶されまたは書込み可能な記録媒体（図示せず）を有し、当該記録媒体は、磁気的、光学的記録媒体若しくは半導体などの不揮発性メモリなどのＣＰＵ８１読取り可能な記録媒体で構成されている。画像データ入力部８６は、デジタルカメラ１ａにより記憶されたフラッシュメモリ３８を有するメモリーカードなどが差し込まれて、そのメモリーカード内のデータを読み出すことにより画像データを入力する。
【００９６】
図１２に示すように、画像撮影システム１αは、少なくとも撮影機能を有するデジタルカメラ１ａと、外部機器としてのＰＣ８０とを備えて構成される。デジタルカメラ１ａにおいて、第１及び第２の実施形態において説明したような撮影処理が実行され、メモリカードのフラッシュメモリ３８に画像データが記憶される。
【００９７】
そして、撮影された画像データが記憶されたフラッシュメモリ３８を有するメモリカードが画像データ入力部８６にセットされ、第１の実施の形態において説明したようなデジタルカメラ１の撮影又は再生処理における再生処理をＰＣ８０の制御部８１１において実行する。つまり、図４のステップＳ１における再生モードの入力を操作入力部８２から行い、その入力された再生モードに従い、画像データを抽出して再生処理を行う。なお、第２の実施の形態のように、任意の画像領域をスルー画像表示方向として指定して再生する構成でもよい。
【００９８】
本変形例によれば、デジタルカメラ１ａで撮影処理を行い、ＰＣ８０で再生処理を行うので、デジタルカメラに制約されることなく、外部機器としてのＰＣ８０により任意の画像領域を再生することができるとともに、デジタルカメラの処理負担を低減することができる。
【００９９】
また、デジタルカメラ１ａからＰＣ８０への画像データの入力は、メモリカードを介する構成に限るものではなく、デジタルカメラ１ａとＰＣ８０とを通信ケーブルで接続する構成でもよい。デジタルカメラ１ａから、その通信ケーブルを介して画像データを送信し、ＰＣ８０において画像データ入力部８６を介してその画像データを受信する構成である。
【０１００】
（第３の実施の形態）
図１４〜図１７を参照して本発明に係る第３の実施の形態を説明する。先ず、図１４及び図１５を参照して、本実施の形態の装置構成を説明する。図１４に、本実施の形態の携帯電話機９０の外観を示し、（ａ）に携帯電話機９０の正面の外観を示し、（ｂ）に携帯電話機９０の背面の外観を示す。図１５に、携帯電話機９０の内部構成を示す。
【０１０１】
本実施の携帯の携帯電話機９０は、撮影機能を有する携帯電話機である。図１４及び図１５に示すように、携帯電話機９０は、ＣＰＵ９１と、ＲＯＭ９２と、ＲＡＭ９３と、液晶表示部９４と、キー入力部９５と、アンテナ９６及び無線部９７と、スピーカ９８と、マイク９９と、音声変換回路１００と、バイブレータ１０１と、鳴音部１０２と、フラッシュメモリ１０３と、撮像部１０４１〜１０４７と、を備えて構成される。
【０１０２】
ＣＰＵ９１は、携帯電話機９０内の各部を中央制御する。ＣＰＵ９１は、ＲＯＭ９２に格納されているシステムプログラム及び各種アプリケーションプログラムの中から指定されたプログラムをＲＡＭ９３に展開し、ＲＡＭ９３に展開されたプログラムとの協働で、各種処理を実行する。
【０１０３】
ＲＯＭ９２は、各種データ及び各種プログラムを読み出し可能に記憶する。ＲＡＭ９３は、前記指定されたプログラム、入力指示、入力データ及び処理結果などを格納するワークエリアを有し、情報を一時的に格納する。
【０１０４】
液晶表示部９４は、ＣＰＵ９１から入力される各種情報を表示する表示画面９４１を備える。また、液晶表示部９４に代えて、ＥＬディスプレイ（ElectroLuminescent Display）などの表示部としてもよい。表示画面９４１は、撮像部１０４１〜１０４７にそれぞれ撮影された画像データを表示する７つの画像領域ｄ１，ｄ３，ｄ４，ｄ５，ｄ６，ｄ７，ｄ９を有する。画像領域の各数字は、キー入力部９５のテンキー９５１の各数字に対応している。撮像部１０４１で撮像された画像データは、画像領域ｄ１に表示される。撮像部１０４２で撮像された画像データは、画像領域ｄ３に表示される。撮像部１０４３で撮像された画像データは、画像領域ｄ４に表示される。撮像部１０４４で撮像された画像データは、画像領域ｄ６に表示される。撮像部１０４５で撮像された画像データは、画像領域ｄ７に表示される。撮像部１０４６で撮像された画像データは、画像領域ｄ９に表示される。撮像部１０４７で撮像された画像データは、画像領域ｄ５に表示される。
【０１０５】
キー入力部９５は、テンキー９５１（文字入力キー）、メニューキー及び各種機能キーなどの入力キーを備えて構成され、操作者により押下されたキーに対応する押下信号をＣＰＵ９１に出力する。
【０１０６】
無線部９７は、搬送波を音声変換回路１００から入力される通信データで変調処理し、アンテナ９６を介して無線通信信号を図示しない基地局に発信する。また、無線部９７は、アンテナ９６を介して基地局から受信した無線通信信号を、復調処理して通信データを取得し、その通信データを音声変換回路１００に出力する。また、無線部９７は、搬送波をＣＰＵ９１から入力される通信データで変調処理し、アンテナ９６を介して無線通信信号を基地局に発信する。また、無線部９７は、アンテナ９６を介して基地局から受信した無線通信信号を、復調処理して通信データを取得し、その通信データをＣＰＵ９１に出力する。つまり、無線部９７は、基地局及びアンテナ９６を介して、外部の通信データの送信先又は送信元の機器と無線通信接続される。
【０１０７】
音声変換回路１００は、マイク９９から入力された音声信号をコード化処理して通信データに変換して無線部９７に出力する。また、音声変換回路１００は、無線部９７から入力された通信データをデコード処理して音声信号に変換してスピーカ９８に出力する。つまり、通話時に、マイク９９から入力された音声信号は、音声変換回路１００、無線部９７を順に介して無線通信信号としてアンテナ９６から発信され、当該無線通信信号が基地局を介して通話先の携帯電話などに送信される。また、通話時に、通話先の携帯電話などから基地局を介して送信された無線通信信号がアンテナ９６により受信され、無線部９７、音声変換回路１００を介して音声信号としてスピーカ９８から出力される。
【０１０８】
バイブレータ１０１は、携帯電話機９０の着信時などにＣＰＵ９１からの振動指示入力により振動し、当該振動により操作者に通話やメールの着信などを報知する。鳴音部１０２は、携帯電話機９０の着信時などにＣＰＵ９１からの鳴音指示により鳴音し、当該鳴音により操作者に通話やメールの着信などを報知する。フラッシュメモリ１０３は、電気的にデータの書き換えが可能な不揮発性のメモリである。
【０１０９】
７つの撮像部１０４１〜１０４７は、レンズなどの光学系と、ＣＣＤなどの画像読み取り部とを備え、光学系を介して入射された被写体の画像を画像データに変換して出力する。また、図１４（ａ），（ｂ）に示すように、例えば、撮像部１０４１〜１０４６は、携帯電話機９０の側面にそれぞれ撮影方向を異にして設けられ、撮像部１０４７が、背面を撮影方向とするように携帯電話機９０の背面に設けられる。
【０１１０】
次に、図１６及び図１７を参照して、携帯電話機９０の動作を説明する。図１６に、静止画像撮影処理を示す。図１７に、第１の動画像撮影処理を示す。
【０１１１】
先ず、携帯電話機９０において実行される静止画像撮影撮影処理を説明する。静止画像撮影処理は、複数の撮影方向を切り替えて静止画の画像データを撮影する処理である。携帯電話機９０において、操作者により静止画像撮影処理実行指示がキー入力部９５を介して入力されたことをトリガとして、ＣＰＵ９１と、ＲＯＭ９２から適宜読み出されてＲＡＭ９３に展開された静止画像撮影プログラムとの協働により静止画像撮影処理が実行される。
【０１１２】
先ず、撮像部１０４１〜１０４７により撮像された各スルー画像データの各画像領域を全て含むマルチ画面が表示画面９４１に表示される（ステップＳ８１）。そして、操作者からキー入力部９５のテンキー９５１を介して撮影方向が入力される（ステップＳ８２）。テンキー９５１の各数字は、各画像領域の数字に対応する。そして、ステップＳ８２において撮影方向が入力されたか否かが判別される（ステップＳ８３）。
【０１１３】
撮影方向が入力された場合（ステップＳ８３；ＹＥＳ）、ステップＳ８２において入力された撮影方向に対応する画像領域に枠を付加するような画像処理が施されて表示画面９４１上で表示される（ステップＳ８４）。画像領域に枠を付加する画像処理は、枠が付加されて表示される画像領域が現在選択されている旨を操作者に示すためのものである。また、画像領域選択の旨を示すための画像処理は、画像領域に枠を付加する画像処理に限定されるものではなく、例えば、選択された画像領域が強調、拡大、色の反転、点滅などの画像処理のいずれか１つ、又はこれらのうちの２つ以上の組合せであるものとしてもよい。
【０１１４】
そして、操作者からのキー入力部９５のシャッター機能に対応するキーの（全）押し入力により静止画像撮影が実行されるか否かが判別される（ステップＳ８５）。撮影方向が入力されていない場合（ステップＳ８３；ＮＯ）、ステップＳ８５に移行される。静止画像撮影が実行されない場合（ステップＳ８５；ＮＯ）、ステップＳ８１に移行される。静止画像撮影が実行された場合（ステップＳ８５；ＹＥＳ）、選択された撮影方向のスルー画像データが取り込まれてそのフレームがＪＰＥＧ方式などにより符号化（圧縮）が施されてフラッシュメモリ１０３に記憶され（ステップＳ８６）、静止画像撮影処理が終了される。
【０１１５】
次いで、図１７を参照して、携帯電話機９０において実行される第１の動画像撮影処理を説明する。第１の動画像撮影処理は、複数の撮影方向を撮影中に切り替え可能に動画の画像データを撮影する処理である。携帯電話機９０において、操作者により第１の動画像撮影処理実行指示がキー入力部９５を介して入力されたことをトリガとして、ＣＰＵ９１と、ＲＯＭ９２から適宜読み出されてＲＡＭ９３に展開された第１の動画像撮影プログラムとの協働により第１の動画像撮影処理が実行される。
【０１１６】
先ず、ステップＳ９１〜Ｓ９４は、図１６に示すステップＳ８１〜Ｓ８４と同様のステップである。そして、ステップＳ９４の実行後、操作者からのキー入力部９５のシャッター機能に対応するキーの押下入力により動画像撮影が開始されるか否かが判別される（ステップＳ９５）。動画像撮影が開始されていない場合（ステップＳ９５；ＮＯ）、ステップＳ９１に移行される。
【０１１７】
動画像撮影が開始された場合（ステップＳ９５；ＹＥＳ）、選択された撮影方向のスルー画像データの１フレームが取り込まれる（ステップＳ９６）。そして、ステップＳ９６において取り込まれた画像データの１フレームにフレーム内符号化が施され、Ｉピクチャ間の挿入フレーム数のカウンタの値がリセットされる（ステップＳ９７）。ステップＳ９７では、例えば、動画圧縮方式がＭＰＥＧ（Motion Picture Experts Group）の場合のＩピクチャ（Intracoded Picture：イントラ符号化画像）に符号化される。Ｉピクチャは、複号化するときにIピクチャ自身で再編成でき、このため容量も大きい。また、Ｉピクチャ間の挿入フレーム数のカウンタは、例えば、ＲＡＭ９３内に設定され、１５フレームごとにＩピクチャを入れた動画を生成するため、Ｉピクチャの符号化ごとにリセットされる。
【０１１８】
そして、操作者からのキー入力部９５のシャッター機能に対応するキーの押下入力により動画像撮影が終了されるか否かが判別される（ステップＳ９８）。動画像撮影が終了されていない場合（ステップＳ９８；ＮＯ）、操作者からのキー入力部９５のテンキー９５１の押下入力により撮影方向の切り替えが入力されたか否かが判別される（ステップＳ９９）。
【０１１９】
撮影方向の切り替えが入力された場合（ステップＳ９９；ＹＥＳ）、ステップＳ９９において入力された撮影方向に対応する画像領域に枠を付加する画像処理が施されて表示画面９４１上に表示され（ステップＳ１００）、ステップＳ９６に移行される。ステップＳ１００は、図１６に示す静止画像撮影処理のステップＳ８４と同様の処理である。
【０１２０】
撮影方向の切り替えが入力されていない場合（ステップＳ９９；ＮＯ）、Ｉピクチャ間の挿入フレーム数のカウンタの値が１５フレームであるか否かが判別される（ステップＳ１０１）。１５フレームである場合（ステップＳ１０１；ＹＥＳ）、ステップＳ９６に移行される。
【０１２１】
１５フレームでない（１５フレーム未満の）場合（ステップＳ１０１；ＮＯ）、選択された撮影方向のスルー画像データの１フレームが取り込まれる（ステップＳ１０２）。そして、ステップＳ１０２において取り込まれた１フレームの画像データにフレーム間符号化が施され、フレーム数のカウンタの値がインクリメントされ（ステップＳ１０３）、ステップＳ９８に移行される。ステップＳ１０３では、動画圧縮方式がＭＰＥＧの場合の、Ｐピクチャ（Predictivecoded Picture：片方向予測符号化画像）、Ｂピクチャ（Bidirectionally predictivecoded Picture：両方向予測符号化画像）に符号化される。Ｐピクチャは、複号化する際に、時間的に片方向（過去又は未来）の、既に複号化されたIピクチャ又はＰピクチャを用いて再編成されるものであり、Ｉピクチャよりも容量が小さい。Ｂピクチャは、複号化する際に、時間的に両方向（過去及び未来）の、既に複号化されたIピクチャ又はＰピクチャを用いて再編成されるものであり、Ｐピクチャよりもさらに容量が小さい。
【０１２２】
動画像撮影が終了された場合（ステップＳ９８；ＹＥＳ）、ステップＳ９７及びＳ１０３において符号化されて生成された動画像データがフラッシュメモリ１０３に記憶され（ステップＳ１０４）、第１の動画像撮影処理が終了される。
【０１２３】
以上、本実施の形態によれば、複数の撮像部１０４１〜１０４７により撮像された複数の画像領域を同時にマルチ画面として液晶表示部９４にスルー表示し、表示された複数の画像領域のうちから選択入力された画像領域を撮影してフラッシュメモリ１０３に記憶させるので、操作者が、広範囲の撮影領域に対応する複数撮影方向の全画像領域から任意の画像領域を視認により容易に選択して撮影できる。
【０１２４】
また、マルチ画面の全画像領域のうち、選択入力された画像領域に枠を付加してスルー表示するので、操作者が、複数撮影方向の全画像領域から任意の画像領域を視認によりさらに容易に選択して撮影できる。
【０１２５】
また、第１の動画像撮影処理において、動画撮影中に、複数の撮像部１０４１〜１０４７により取得される動画の画像データに対して１５フレームごとにフレーム内符号化を施し、その他のフレームにはフレーム間符号化を施すとともに、十字キー１０に撮影対象の撮像部の変更が入力されたタイミングに、現在のフレームにフレーム内符号化を施して符号化画像データを生成してフラッシュメモリ１０３に記憶するので、画像領域の変更時のフレーム内符号化により符号化動画像の画像データを高画質にできるとともに、フレーム間符号化により符号化動画像の画像データの容量を小さくできる。
【０１２６】
なお、本実施の形態では、７つの撮像部を有する携帯電話機９０を用いて説明したが、これに限定されるものではなく、画像撮影装置に設ける撮像部の個数及び位置は任意の複数の個数及び任意の位置でよい。例えば、撮影方向を操作者自身の方向に設定された撮像部を設ける場合に、ある被写体と、その被写体の解説をする操作者の撮影を適宜切り替えた動画像データを取得できる。また、撮影方向がお互いに逆向きの撮像部を設ける場合に、操作者の前を通過するランナー、車両などを用意に動画撮影できる。具体的には、操作者に向かって近づいてくるランナーを一方の撮像部で撮影し、操作者を通り過ぎたタイミングで、そのランナーをもう一方の撮像部に切り替えて撮影することにより、撮影方向をスムーズに切り替えて動画撮影できる。
【０１２７】
また、本実施の形態では、複数の撮像部を有する携帯電話機９０を用いて説明したが、これに限定されるものではなく、複数の撮像部を有するデジタルカメラなどの画像撮影装置としてもよい。また、第１の実施の形態のデジタルカメラ１において、静止画又は動画像の撮影時に、複数の画像領域(1)〜(9)を含むマルチ画面をスルー表示させる構成や、動画像の撮影時に、画像領域(1)〜(9)のうちで撮影対象の画像領域が変更された場合に、現在の撮影フレームにフレーム内符号化を施す構成としてもよい。
【０１２８】
（第４の実施の形態）
図１８を参照して、本発明に係る第４の実施の形態を説明する。図１８に、第２の動画像撮影処理を示す。本実施の形態は、第３の実施の形態で説明した第１の動画撮影処理を、第１の実施の形態で説明したデジタルカメラ１に適用するものである。
【０１２９】
第１の実施の形態において、デジタルカメラ１は、１つの広角の撮影レンズ２により、全画像領域を撮影して９つの画像領域に分割し、任意の画像領域を表示する構成としたが、本実施の形態では、撮影レンズ２により撮像可能な全画像領域内の、任意の１つの画像領域をキー操作により自在に移動してその移動した画像領域のみを撮影する構成とする。また、デジタルカメラ１は、動画撮影機能を有し、ＪＰＥＧ回路３７は、ＭＰＥＧ方式によるフレームの符号化機能を有するものとする。
【０１３０】
本実施の形態の装置構成は、第１の実施の形態のデジタルカメラ１と同様であるので、説明を省略する。そして、図１７を参照して、デジタルカメラ１の動作を説明する。
【０１３１】
図１８を参照して、デジタルカメラ１において実行される第２の動画像撮影処理を説明する。第２の動画像撮影処理は、撮影方向を撮影中に連続的に移動可能に動画の画像データを撮影する処理である。デジタルカメラ１において、操作者により第２の動画像撮影処理実行指示がキー入力部３６を介して入力されたことをトリガとして、制御部３２内の図示しないＣＰＵと、図示しないＲＯＭから適宜読み出されて図示しないＲＡＭに展開された第２の動画像撮影プログラムとの協働により第２の動画像撮影処理が実行される。
【０１３２】
先ず、撮影レンズ２により結像された全面画像４０がＣＣＤ２３により撮像され、全面画像４０中の１つの指定される画像領域（以下、指定画像領域とする）のスルー画像が表示部１３に表示される（ステップＳ１１１）。指定画像領域の大きさは、例えば、正面画像領域Ｄ１の大きさとするが、これに限定されるものではない。そして、操作者からのキー入力部３６の十字キー１０の押下入力により撮影方向が入力される（ステップＳ１１２）。十字キー１０の各方向の押下に対応して、指定画像領域も全面画像４０内を移動する。
【０１３３】
そして、操作者からキー入力部３６のシャッタキー７の押下により動画像撮影が開始されるか否かが判別される（ステップＳ１１３）。動画像撮影が開始されない場合（ステップＳ１１３；ＮＯ）、ステップＳ１１１に移行される。動画像撮影が開始された場合（ステップＳ１１３；ＹＥＳ）、指定画像領域のスルー画像データの１フレームが取り込まれる（ステップＳ１１４）。
【０１３４】
そして、ＪＰＥＧ回路３７により、ステップＳ１１４において取り込まれた１フレームの画像データにフレーム内符号化が施され、Ｉピクチャ間の挿入フレーム数のカウンタの値がリセットされる（ステップＳ１１５）。Ｉピクチャ間の挿入フレーム数のカウンタは、例えば、制御部３２内のＲＡＭ内に設定される。そして、操作者からのキー入力部３６のシャッタキー７の押下入力により動画像撮影が終了されるか否かが判別される（ステップＳ１１６）。動画像撮影が終了されていない場合（ステップＳ１１６；ＮＯ）、操作者からのキー入力部３６の十字キー１０の押下入力により指定画像領域の移動が入力されたか否かが判別される（ステップＳ１１７）。
【０１３５】
指定画像領域の移動が入力された場合（ステップＳ１１７；ＹＥＳ）、その入力に基づいて指定画像領域が移動されるとともに、シーンチェンジが発生したか否かが判別される（ステップＳ１１８）。劇的なシーンの変化としてのシーンチェンジは、例えば、１つ前に取り込まれたフレームと、現在のフレームとの差の絶対値を計算し、その計算値が予め定めた閾値以上となった場合に、発生したものとして判別される。また、シーンチェンジは、符号化の前処理として動き検出を行い、その誤差エネルギーが予め定めた閾値以上となった場合に発生したものとして判別されることとしてもよい。
【０１３６】
指定画像領域の移動が入力されていない場合（ステップＳ１１７；ＮＯ）、又はシーンチェンジが発生していない場合（ステップＳ１１８；ＮＯ）、Ｉピクチャ間の挿入フレーム数のカウンタの値が１５フレームであるか否かが判別される（ステップＳ１１９）。１５フレームである場合（ステップＳ１１９；ＹＥＳ）、ステップＳ１１４に移行される。
【０１３７】
１５フレームでない（１５フレーム未満の）場合（ステップＳ１１９；ＮＯ）、指定画像領域のスルー画像データの１フレームが取り込まれる（ステップＳ１２０）。そして、ＪＰＥＧ回路３７により、ステップＳ１２０において取り込まれた１フレームの画像データにフレーム間符号化が施され、フレーム数のカウンタの値がインクリメントされ（ステップＳ１２１）、ステップＳ１１６に移行される。
【０１３８】
動画像撮影が終了された場合（ステップＳ１１６；ＹＥＳ）、ステップＳ１１５及びＳ１２１において符号化されて生成された動画像データがフラッシュメモリ３８に記憶され（ステップＳ１２２）、第２の動画像撮影処理が終了される。
【０１３９】
以上、本実施の形態によれば、動画撮影中に、撮影レンズ２を介して全面領域４０内の指定画像領域から取得される動画像データのフレームに対して１５フレームごとにフレーム内符号化を施し、その他のフレームにフレーム間符号化を施すとともに、十字キー１０に指定画像領域の移動が入力されてシーンチェンジが発生したタイミングに、現在のフレームにフレーム内符号化を施して符号化された動画像データをフラッシュメモリ２３に記憶するので、フレーム間符号化（１５フレームごとのフレーム内符号化）により動画像データの容量を小さくできるとともに、指定画像領域のシーンチェンジ時のフレーム内符号化により符号化された動画像データの画質を向上できる。
【０１４０】
なお、上記各実施の形態及びその変形例で説明した詳細な部分は上記内容に限定されるものではなく、適宜変更可能である。
【０１４１】
例えば、上記第１、第２及び第４の実施の形態においては、撮影レンズ２に広角レンズを用いて、広範囲の画像領域を撮影可能な構成としたがこれに限定されるものではなく、その他の方式により画角を大きく撮影できる構成でもよい。
【０１４２】
図１９に、デジタルカメラ１ｂの撮像状態を示す。例えば、図１９に示すようなデジタルカメラ１ｂを用いる構成としてもよい。デジタルカメラ１ｂにおいて、３つの撮影レンズ２Ａ，２Ｂ，２Ｃがボディ正面、左面及び右面に設けられ、撮影レンズ２Ａから入射された光束がＣＣＤ２３に結像され、撮影レンズ２Ｂから入射された光束がミラー１４Ｂ，１５Ｂで反射されてＣＣＤ２３に結像され、撮影レンズ２Ｃから入射された光束がミラー１４Ｃ，１５Ｃで反射されてＣＣＤ２３ａに結像される。ＣＣＤ２３ａにより各撮影レンズに対応して結像された３つの画像から、３つの画像データが撮影される。また、この３つの画像データを繋げる補正により、一枚のパノラマの画像データが得られる。撮影レンズは、その他の複数でもよく、また、撮影レンズの位置も、ボディ正面、左面及び右面に限られるものではない。
【０１４３】
また、上記第１及び第２の実施の形態において、静止画の画像撮影を前提として説明したが、これに限るものではなく、動画の画像撮影を行うことが可能な構成としてもよい。
【０１４４】
また、上記第３及び第４の実施の形態において、Ｉピクチャ間の挿入フレーム数を１５としたが、これに限定されるものではなく、他の数値としてもよい。また、上記第３及び第４の実施の形態において、動画撮影の開始及び終了の操作を２度のボタン押下により行うものとして説明したが、例えば、動画撮影の開始をボタン押下により行い、動画撮影中にボタン押下を継続させ、動画撮影の終了をボタン押下解除により行うこととしてもよい。
【０１４５】
さらに、上記第４の実施の形態において、指定画像領域の移動を全面領域４０内の画像抽出により実現する構成としたが、これに限定されるものではなく、例えば、撮影方向を変更可能に撮影レンズなどが可動する撮像部を有する画像撮影装置により実現する構成としてもよい。この場合、撮像部の可動により撮影方向の移動スピードが速すぎる場合などに、シーンチェンジが発生することとなる。
【０１４６】
また、上記各実施の形態におけるデジタルカメラ、画像撮影システム、携帯電話機などの各構成要素の細部構成及び細部動作に関しては、本発明の趣旨を逸脱することのない範囲で適宜変更可能であることは勿論である。
【図面の簡単な説明】
【０１４７】
【図１】本発明に係る第１の実施の形態のデジタルカメラ１の外観を示す斜視図であり、（ａ）は主に前面の構成を示す斜視図であり、（ｂ）は主に背面の構成を示す斜視図である。
【図２】デジタルカメラ１の内部構成を示すブロック図である。
【図３】ＣＣＤ２３において撮像される画像構成を示す図である。
【図４】撮影又は再生処理を示すフローチャートである。
【図５】図４の撮影又は再生処理中の抽出処理を示すフローチャートである。
【図６】入力画面を示す図であり、（ａ）及び（ｂ）は撮影モードの入力画面４１を示す図であり、（ｃ）は再生モードの入力画面４２を示す図である。
【図７】各種撮影例及び再生例を示す図であり、（ａ）は操作者５１の視野と被写体位置関係を示す図であり、（ｂ）はデジタルカメラ１による全画面撮影画像例を示す図であり、（ｃ）はデジタルカメラ１による正面画像再生例を示す図である。
【図８】デジタルカメラ１を使用した撮影例を示す図であり、（ａ）は左撮影モードでの人物の撮影例を示す図であり、（ｂ）は右撮影モードでの人物の撮影例を示す図であり、（ｃ）は左撮影モードでの閉所における撮影例を示す図である。
【図９】設定処理を示すフローチャートである。
【図１０】撮影処理を示すフローチャートである。
【図１１】入力画面を示す図であり、（ａ）は撮影モードにおける入力画面７１を示す図であり、（ｂ）は撮影モードにおける入力画面７２を示す図である。
【図１２】画像撮影システム１αの構成を示す図である。
【図１３】ＰＣ８０の内部構成を示す図である。
【図１４】本発明に係る第３の実施の形態の携帯電話機９０の外観図であり、（ａ）は携帯電話機９０の正面の外観図であり、（ｂ）は携帯電話機９０の背面の外観図である。
【図１５】携帯電話機９０の内部構成を示すブロック図である。
【図１６】静止画像撮影処理を示すフローチャートである。
【図１７】第１の動画像撮影処理を示すフローチャートである。
【図１８】第２の動画像撮影処理を示すフローチャートである。
【図１９】デジタルカメラ１ｂの撮像状態を示す図である。
【符号の説明】
【０１４８】
１，１ａ，１ｂ  デジタルカメラ
２，２Ａ，２Ｂ，２Ｃ  撮影レンズ
３  セルフタイマランプ
４  光学ファインダ窓
５  ストロボ発光部
６  電源キー
７  シャッタキー
８  モードスイッチ
９  メニューキー
１０  十字キー
１１  光学ファインダ
１２  ストロボチャージランプ
１３  表示部
１４Ｂ，１４Ｃ，１５Ｂ，１５Ｃ  ミラー
２１  モータ（Ｍ）
２２  レンズ光学系
２３，２３ａ  ＣＣＤ
２４  タイミング発生器（ＴＧ）
２５  垂直ドライバ
２６  サンプルホールド回路（Ｓ／Ｈ）
２７  Ａ／Ｄ変換器
２８  カラープロセス回路
２９  ＤＭＡコントローラ
３０  ＤＲＡＭインタフェース（Ｉ／Ｆ）
３１  ＤＲＡＭ
３２  制御部
３３  ＶＲＡＭコントローラ
３４  ＶＲＡＭ
３５  デジタルビデオエンコーダ
３６  キー入力部
３７  ＪＰＥＧ回路
３８  フラッシュメモリ
１α  画像撮影システム
８０  ＰＣ
８１  ＣＰＵ
８１１  制御部
８２  操作入力部
８３  ＲＡＭ
８４  表示部
８５  記憶部
８６  画像データ入力部
８７  バス
９０   携帯電話機
９１  ＣＰＵ
９２  ＲＯＭ
９３  ＲＡＭ
９４   液晶表示部
９４１ 表示画面
９５   キー入力部
９５１ テンキー
９６   アンテナ
９７   無線部
９８   スピーカ
９９   マイク
１００ 音声変換回路
１０１ バイブレータ
１０２ 鳴音部
１０３ フラッシュメモリ
【図１】
2005039777.tif 000003
【図２】
2005039777.tif 000004
【図３】
2005039777.tif 000005
【図４】
2005039777.tif 000006
【図５】
2005039777.tif 000007
【図６】
2005039777.tif 000008
【図７】
2005039777.tif 000009
【図８】
2005039777.tif 000010
【図９】
2005039777.tif 000011
【図１０】
2005039777.tif 000012
【図１１】
2005039777.tif 000013
【図１２】
2005039777.tif 000014
【図１３】
2005039777.tif 000015
【図１４】
2005039777.tif 000016
【図１５】
2005039777.tif 000017
【図１６】
2005039777.tif 000018
【図１７】
2005039777.tif 000019
【図１８】
2005039777.tif 000020
【図１９】
2005039777.tif 000021